(57)【要約】【課題】  カップ部上辺のフィット性に優れ、バストとの馴染みにも優れた、カップ部を有する衣類を提供することを目的とする。【解決手段】  本発明のカップ部を有する衣類は、一対のカップ部１０１、カップ支持部１０２、バック布１０３および肩ストラップ１０４を備え、カップ支持部１０２は、一対のカップ部１０１の下縁に設けられ、バック布１０３は、一対のカップ部１０１の脇側に設けられ、肩ストラップ１０４は、一対のカップ部１０１の上部に設けられ、カップ部１０１は、可撓性を有する成型部材１０６と、成型部材１０６を覆うカップ布１０５とを有し、成型部材１０６の上辺側部分とカップ布１０５の上辺側部分のうち、カップ布１０５の上辺側部分のみが肩ストラップ１０４に連結されていることを特徴とする。【選択図】  図１
2015212435.tif 000002
【特許請求の範囲】
【請求項１】
カップ部を有する衣類であって、
一対のカップ部、カップ支持部、バック布および肩ストラップを備え、
前記カップ支持部は、前記一対のカップ部の下縁に設けられ、
前記バック布は、前記一対のカップ部の脇側に設けられ、
前記肩ストラップは、前記一対のカップ部の上部に設けられ、
前記カップ部は、可撓性を有する成型部材と、前記成型部材を覆うカップ布とを有し、
前記成型部材の上辺側部分と前記カップ布の上辺側部分のうち、前記カップ布の上辺側部分のみが前記肩ストラップに連結されていることを特徴とするカップ部を有する衣類。
【請求項２】
前記カップ部において、
前記カップ布の上辺は、前記成型部材の上辺の位置よりも予め設定された間隔だけ上方に離間するように配置されていることを特徴とする、請求項１記載のカップ部を有する衣類。
【請求項３】
前記成型部材と肌側の前記カップ布との間に挟み込まれるように、前記カップ布の上辺に沿って帯状の布材が取り付けられていることを特徴とする、請求項１または２記載のカップ部を有する衣類。
【請求項４】
前記成型部材は、前記カップ布の脇辺部分に固着されていることを特徴とする、請求項１から３のいずれか一項に記載のカップ部を有する衣類。
【請求項５】
衣類がブラジャーであることを特徴とする、請求項１から４のいずれか一項に記載のカップ部を有する衣類。
【請求項６】
衣類が、さらに衣類本体部を有することを特徴とする、請求項１から４のいずれか一項に記載のカップ部を有する衣類。
【発明の詳細な説明】
【技術分野】
【０００１】
本発明は、カップ部を有する衣類に関する。
【背景技術】
【０００２】
従来、ブラジャー等のカップ部を有する衣類では、ポリウレタン等の弾性体を成型した成型部材を用いた、いわゆるモールドタイプのカップやパッド（以下カップ部という）が用いられているものがある。このような衣類においては、カップ部の厚みや剛性を調整し、バストの造形性を向上させたり、補正機能を付与したりする検討がなされている（例えば、特許文献１および２参照）。
【先行技術文献】
【特許文献】
【０００３】
【特許文献１】特開平９−７８３１１号公報
【特許文献２】特開２００５−１３９５７２号公報
【発明の概要】
【発明が解決しようとする課題】
【０００４】
しかし、従来のモールドタイプのカップ部を有するブラジャーは、着用時にカップ部上辺で、バストとブラジャーとの間に隙間（浮き）が生じやすかった。このような隙間が生じると、ブラジャー着用時に、横から見ると段差があるシルエットになってしまう。この隙間を生じさせないために、カップ部上辺の形状を内側に倒したような形状にすると、カップ部上辺がバストに当たったり、食い込んだりして、違和感を生じさせるという問題があった。
【０００５】
本発明は、カップ部上辺のフィット性に優れ、バストとの馴染みにも優れた、カップ部を有する衣類を提供することを目的とする。
【課題を解決するための手段】
【０００６】
前記目的を達成するために、本発明のカップ部を有する衣類は、
カップ部を有する衣類であって、
一対のカップ部、カップ支持部、バック布および肩ストラップを備え、
前記カップ支持部は、前記一対のカップ部の下縁に設けられ、
前記バック布は、前記一対のカップ部の脇側に設けられ、
前記肩ストラップは、前記一対のカップ部の上部に設けられ、
前記カップ部は、可撓性を有する成型部材と、前記成型部材を覆うカップ布とを有し、
前記成型部材の上辺側部分と前記カップ布の上辺側部分のうち、前記カップ布の上辺側部分のみが前記肩ストラップに連結されていることを特徴とする。
【発明の効果】
【０００７】
本発明のカップ部を有する衣類は、カップ部上辺のフィット性に優れ、バストとの馴染みがよい。
【０００８】
本発明によれば、カップ布の上辺側部分と成型部材の上辺側部分のうち、カップ布の上辺側部分のみが肩ストラップに連結されているため、肩ストラップに上辺側部分が連結されていない成型部材には、相対的に肩ストラップの引き上げ力が伝わり難い。このため、着用状態において、成型部材はカップ布と比較して肩ストラップにあまり引っ張られず撓み易い状態に保持されるためバストに緩やかにフィットすることができる。このため、バスト上辺部分に成型部材が食い込み難く、肌馴染みが良好なものとなる。
【図面の簡単な説明】
【０００９】
【図１】図１は、本発明のカップ部を有する衣類の一例である、第１の実施形態に係るブラジャーの正面図である。
【図２】図２は、前記第１の実施形態に係るブラジャーのカップ部をＩ−Ｉ方向に見た断面図である。
【図３】図３は、本発明のカップ部を有する衣類の一例である、第２の実施形態に係るブラジャーの正面図である。
【図４】図４は、前記第２の実施形態に係るブラジャーのカップ部をＩＩ−ＩＩ方向に見た断面図である。
【図５】図５は、本発明のカップ部を有する衣類のその他の例を示す斜視図である。（ａ）は、第３の実施形態に係るブラキャミソールの一例、（ｂ）は、第４の実施形態に係るブラキャミソールの一例である。
【発明を実施するための形態】
【００１０】
本発明のカップ部を有する衣類について、例をあげて説明する。ただし、本発明は、以下の例に限定および制限されない。
【００１１】
（第１の実施形態）
図１および図２に、本発明のカップ部を有する衣類の第１の実施形態に係るブラジャー１００を示す。図１は、本実施形態のブラジャー１００の正面図であり、図２は、ブラジャー１００のカップ部をＩ−Ｉ方向に見た断面図である。前記二図において、同一部分には同一符号を付している。
【００１２】
本実施形態のブラジャー１００は、一対のカップ部１０１、一対のカップ部１０１を支持するカップ支持部１０２、一対のバック布１０３および一対の肩ストラップ１０４を備えた、ノンワイヤータイプのブラジャーである。一対のカップ部１０１の下縁には、一対のカップ支持部１０２が設けられ、一対のカップ支持部１０２の下縁には、土台部１１０が設けられている。そして、一対のカップ支持部１０２は、バージスラインに沿うように形成されており、土台部１１０によって連結されている。土台部１１０を介して、一対のカップ部１０１の脇側には、一対のバック布１０３の一端が取り付けられている。一対のバック布１０３の他端は、連結係止部１０７が取り付けられて、背中心付近で着脱自在になっている。そして、一対のカップ部１０１は、カップ布１０５および成型部材１０６を含んでいる。成型部材１０６は可撓性を有する部材であり、カップ布１０５は成型部材１０６を覆っている。そして、肩ストラップ１０４は、一対のカップ部１０１の上部に設けられているが、成型部材１０６の上辺側部分とカップ布１０５の上辺側部分のうち、カップ布１０５の上辺側部分のみが肩ストラップ１０４に連結されている。本実施形態においては、成型部材１０６は、カップ部１０１の上辺においてカップ布１０５に固定されておらず、遊離した状態となっており、カップ部１０１の下辺においてカップ支持部１０２に固定されている。
【００１３】
このように成型部材１０６を設けることで、カップ部１０１上辺の柔軟性を高めてフィット性を向上させることができ、着用時のカップ部１０１上辺の身体への食い込みや、カップ部１０１上辺の身体との間の隙間発生を防ぐことができる。
【００１４】
本実施形態において、成型部材１０６は、カップ布１０５の脇辺部分Ｓに固着されている。このような構成とすることで、カップ部１０１の脇辺部分のバストに対するフィット性を向上させることができ、好ましい。しかし、本発明はこれに限定されず、成型部材１０６とカップ布１０５の脇辺部分Ｓとは固着されていなくてもよい。
【００１５】
また、カップ部１０１において、カップ布１０５の上辺は、成型部材１０６の上辺の位置よりも予め設定された間隔（隙間Ｄ）だけ上方に離間するように配置されていることが好ましい。本実施形態においては、成型部材１０６をカップ布１０５よりも小さくすることで、カップ布１０５の上辺と、成型部材１０６の上辺との間に隙間Ｄが生じるように形成されている。隙間Ｄは、８ｍｍ〜３１ｍｍの範囲内にあることが好ましく、１０ｍｍ〜２９ｍｍの範囲内であることがより好ましく、さらに好ましくは１５ｍｍ〜２５ｍｍの範囲内である。隙間Ｄは、等幅となるようにしてもよいし、例えば、前中心寄りと肩ストラップ１０４の取り付け位置寄りとで異なる幅を有してもよい。このように、隙間Ｄが存在すると、着用時に肩ストラップ１０４にカップ部１０１の上部が引かれることによって、カップ布１０５の上辺が、着用者のバストにフィットするように肌側に屈曲しやすく、フィット性が良好となる。また、肩ストラップ１０４が成型部材１０６と直接連結されていないことで、カップ布は表側（肌側と反対の側）にも容易に変位することが可能であるため、カップ部１０１上部のバストに対する押圧力を抑制することもできる。
【００１６】
成型部材１０６の表側および裏側を覆うカップ布１０５は、一枚の生地で構成し、カップ部１０１上辺で折り返して用いることが好ましい。このように表側の布と裏側の布とを、一枚の生地で構成すると、カップ部１０１上辺で縫着部を設ける必要がないので、カップ部１０１上辺の柔軟性を高めるとともに、肌触りを良好にすることができる。
【００１７】
成型部材１０６としては、ウレタンフォーム、不織布、あるいはポリウレタンなどの高弾性糸から編成された厚手シート状の丸編素材（ダンボールニット）等を使用することができるが、成型性、耐久性等の点からウレタンフォームが好ましい。より具体的には、見掛け密度が３５±１０ｋｇ／ｍ３の範囲内にあり、且つ、伸び率が１４０％以上である軟質ウレタンフォームを用いることが好ましく、より好ましくは見掛け密度が３５±３ｋｇ／ｍ３の範囲内にあり、かつ、伸び率１５０％以上である軟質ウレタンフォームを用いることが好適である。なお、上記の見掛け密度はＪＩＳ  Ｋ  ６４００（１９９７）、伸び率はＪＩＳ  Ｋ  ６４００−５（２０１２）の規格に従って測定される。
【００１８】
成型部材１０６の厚みは、着用による体型の補整といった目的や、カップ部を有する衣類のデザインに応じて設計可能であり、例えば、下バージスラインとバストトップとの間の脇側領域を厚く、周辺に向かうにしたがって薄くなるように形成してもよい。
【００１９】
本実施形態は、成型部材１０６は、一体で成型された部材により形成されているが、本発明はこれに限定されず、例えば、成型部材１０６が上下の部材からなり、前記上下の部材が縫合された二枚接ぎにより構成されてもよい。
【００２０】
また、本発明は、ワイヤータイプ、ノンワイヤータイプのいずれのタイプのブラジャーにも使用することができる。
【００２１】
本実施形態のブラジャーでは、連結係止部１０７として、ホック（例えば、フック・アンド・アイ（鈎ホック））を使用することができるが、他の種類の係止具を使用してもよい。また、バック布１０３が連結係止部を有していなくてもよい。例えば、連結係止部を前中心に設けてフロントホックタイプとしてもよい。また、連結係止部がないタイプ、バック布を結んで係止するタイプであってもよい。
【００２２】
連結係止部１０７としては、ホック（例えば、フック・アンド・アイ（鈎ホック））、グリッパー、ボタン、紐、面ファスナーなどを、デザインや用途に応じて適宜選択して使用することができる。なお、上記のフック・アンド・アイやグリッパー、ボタンを用いる場合には、複数の留め位置を予め設けておくことにより、締め付け具合を微調整できるようにしておくことも好ましい。なお、上記以外の他の種類の係止具を使用してもよい。
【００２３】
本実施形態においては、肩ストラップ１０４の一端はカップ部１０１に取り付けられ、他端はバック布１０３の上辺部に取り付けられた円環の係止具１０８Ａを通って反転し、エイト環からなる長さ調節具１０８Ｂに導入されることによって、肩ストラップ１０４の長さ調整が可能な状態で、肩ストラップ１０４の他端側が、バック布１０３の上辺部に取り付けられている。肩ストラップ１０４の態様はこれに限定されず、例えば、前記一対のカップ部１０１の上部同士を互いに繋ぐように取り付けられている、いわゆる「ホルターネック」タイプであってもよい。肩ストラップ１０４の取り付け位置は、カップ部１０１の形状やブラジャーのデザインによって決定することができる。肩ストラップ１０４は、カップ部１０１を肩から吊り下げるものであればよい。紐や布テープであってもよいし、タンクトップのような幅の広い、いわゆるラウンドタイプのストラップであってもよい。肩ストラップ１０４の態様は一対のカップ部１０１に対応して一対の肩ストラップ１０４をそれぞれカップ部１０１上部とバック布１０３に取り付ける態様に限定されず、例えば、スポーツタイプのブラジャーの肩ストラップのように、背中側で２本の肩ストラップ１０４が一体となりバック布１０３に取り付けられる態様であってもよい。
【００２４】
本実施形態において、カップ支持部１０２は、布材を重ね合わせて形成されている。このように、カップ支持部１０２は、剛直なワイヤー等を設けず変形可能なものであってもよい。カップ支持部１０２は、ノンワイヤーでもよいし、剛性の低い樹脂ワイヤーや、前記樹脂ワイヤーと同程度の剛性を有する金属ワイヤー等を設けていてもよい。前記金属ワイヤーとしては、径が小さい（細い）ものや、剛性の低いチタン等の材料を用いて形成されたワイヤーを用いることができる。また、カップ支持部１０２のワイヤーには、剛直な金属ワイヤーを用いてもよい。上記のように、布材を重ね合わせてカップ支持部１０２を形成する場合には、バージスラインに沿うような湾曲形状を有する布テープを重ね合わせて用いてもよい。カップ支持部１０２が変形可能な材料からなる場合、持ち運びの際などにコンパクトに収納することができる。カップ支持部１０２は、カップ部１０１とは別部材で構成してもよい。あるいは、カップ部１０１を構成するカップ布１０５および成型部材１０６でカップ支持部１０２を形成してもよい。
【００２５】
なお、本実施形態では、ブラジャー１００は、土台部１１０を介して、左右のカップ支持部１０２が連結されるとともに、カップ支持部１０２とバック布１０３とが連結されている例を挙げて説明した。しかし、本発明は、これに限定されるものではない。例えば、土台部１１０を備えない、いわゆるメガネタイプのブラジャーとしてもよい。より具体的には、バック布１０３がカップ支持部１０２に直接連結されるように前方へ延び、左右のカップ支持部１０２の前中心側部分同士を連結する連結部材を別途備える態様とすることができる。また、本実施形態においては、土台部１１０は、脇部分まで延設されているが、カップ部１０１の下縁途中まで延設されているものであってもよい。土台部１１０を設けることで、アンダーバスト部分での装着安定性を向上させることができる。
【００２６】
（第２の実施形態）
図３および図４に、本発明のカップ部を有する衣類の第２の実施形態に係るブラジャー２００を示す。図３は、本実施形態のブラジャー２００の正面図であり、図４は、ブラジャー２００のカップ部をＩＩ−ＩＩ方向に見た断面図である。前記二図において、同一部分には同一符号を付している。本実施形態においては、カップ部１０１の上辺にパワーネット（帯状の布材）２１１が設けられている。パワーネット２１１は、成型部材１０６と肌側のカップ布１０５との間に挟み込まれるように、カップ布１０５の上辺に沿って取り付けられている。パワーネット２１１をカップ部１０１上辺に設けることで、カップ部１０１の上辺側部分に緩やかな補整力（いわゆるスムージング効果）が生じる。このため、カップ部１０１の上辺側部分に覆われる着用者のバスト上辺部分に対して適度な補整力を作用させることができ、バストとカップ部１０１の上辺部分との間に隙間が生じ難い。なお、本実施形態では、帯状の布材として、パワーネット２１１を用いる例を挙げているが、本発明はこれに限定されるものではなく、カップ部の仕様に応じて種々の布材をパワーネット２１１の代わりに用いることができる。より具体的には、ツーウェイトリコット、ベア天竺等の布材が考えられる。
【００２７】
パワーネット２１１の幅（カップ部上辺からの長さ方向）は、少なくとも隙間Ｄの幅よりも広く、かつ、カップ部１０１の着用状態におけるバストトップに対応する位置を覆わない長さに設定することが好ましい。より具体的には、パワーネット２１１の幅は、１５ｍｍ〜４５ｍｍの範囲内にあることが好ましく、より好ましくは、２０ｍｍ〜４０ｍｍの範囲内とすることが好適である。
【００２８】
パワーネット２１１は、縫着、接着等の方法によっても設けることができるが、パワーネット２１１上辺をカップ布上端部に縫着し、下辺側が遊端を成すように取り付けることがバストに対して緩やかな補整力を作用させる点から好ましい。
【００２９】
（第３の実施形態）
次に、図５（ａ）に本発明のカップ部を有する衣類のその他の例として、ブラキャミソール３００の斜視図を示す。
【００３０】
このブラキャミソール３００のブラジャー相当部分は、図１で説明したブラジャー１００とほぼ同一の概念のもとに設計されている。本態様においては、ブラキャミソール３００が、土台部１１０の下側に、身頃３０１を有している。本例では、身頃３０１が本発明におけるバック布を兼ねている。バック布を別途設けてその下に身頃３０１を取りつけてもよい。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。
【００３１】
（第４の実施形態）
図５（ｂ）に本発明のカップ部を有する衣類のその他の例として、ブラキャミソール４００の斜視図を示す。
【００３２】
このブラキャミソール４００は、キャミソールの身頃内側にブラジャー相当部分が設けられており、前記ブラジャー相当部分は、図１で説明したブラジャー１００とほぼ同一の概念のもとに設計されている。本態様においては、ブラキャミソール４００は、ブラジャー相当部分を覆うように身頃４０１を有している。また、バック布１０３は連結係止部を有しておらず、連結係止部の操作をすることなく着脱ができる態様である。その他の態様は図１に示したブラジャー１００と実質上同一であり、同一部分には同一の符号を付して、重複する説明を省略している。ここでは、第１の実施形態に係るブラジャー１００とほぼ同一概念のもとに設計されたブラジャー相当部分を有するブラキャミソールについて説明したが、本発明はこれに限定されず、他の実施形態に係るブラジャー相当部分を有するブラキャミソールとすることもできる。本例の構成にすることにより、カップ部１０１のデザインにかかわらず、着用時の外観のバリエーションを多様にすることができる。また、カップ部１０１を、よりアウターにひびかなくすることもできる。
【００３３】
以上、実施の形態の具体例として、ブラジャー、およびブラキャミソールをあげて本発明を説明したが、本発明のカップ部を有する衣類は、これらの具体例で記載されたもののみに限定されるものではなく、種々の態様が可能である。例えば、上記の実施形態のようなファンデーション衣類以外にも、ボディスーツ、ブラスリップ、セパレートタイプの水着のトップ部、レオタード、その他各種のカップ部を有する衣類に適用できる。また、前中心を係脱自在のホックで連結するフロントホックタイプの衣類にも適用できる。
【産業上の利用可能性】
【００３４】
本発明のカップ部を有する衣類は、種々の態様が可能である。例えば、上記の実施形態のようなファンデーション衣類以外にも、スポーツ衣類、アウターなど、各種のカップ部を有する衣類に適用できる。
【符号の説明】
【００３５】
１００、２００  ブラジャー
１０１、２０１  カップ部
１０２、２０２  カップ支持部
１０３  バック布
１０４  肩ストラップ
１０５  カップ布  
１０６  成型部材
１０７  連結係止部
１０８Ａ  円環係止具
１０８Ｂ  長さ調節具
１１０  土台部
２１１  パワーネット
３００、４００  ブラキャミソール
３０１、４０１  身頃
【図１】
2015212435.tif 000003
【図２】
2015212435.tif 000004
【図３】
2015212435.tif 000005
【図４】
2015212435.tif 000006
【図５】
2015212435.tif 000007